(57)【要約】      （修正有）【課題】使用者が正確なゴルフクラブのグリップの仕方及び正確な手首の反しを習得することができ、さらに、使用者が様々な長さのゴルフクラブを使用する際のそれぞれにおける正確な足のスタンスの位置を学ぶことができるゴルフスイング練習具を提供する。【解決手段】細長の溝１３及び正確なグリップの位置を示す握り部が設けられたシャフト１２からなり、使用者が当該シャフトをスイングする際、前記溝に空気が流入し、スイング中の手首の反しが正確にできた場合には、溝に流入していた空気が流出することにより音が発生するようにしたゴルフスイング練習具。【選択図】図４
2004313776.tif 000002
【特許請求の範囲】
【請求項１】
使用者が、正確なゴルフクラブのグリップの仕方及びスイング中における正確な手首の反しを習得することができるゴルフスイング練習具であって、細長の溝が設けられたシャフトからなり、使用者が当該シャフトをスイングする際、前記溝に空気が流入し、正確に手首が反される場合には、溝に流入していた空気が流出することにより音が発生するようにしたことを特徴とするゴルフスイング練習具。
【請求項２】
請求項１記載のゴルフスイング練習具であって、前記溝が、前記シャフトの一端部付近から他端部方向へ延びるものとし、使用者が、スイングする際、前記シャフトの他端部付近を握るようにしたことを特徴とするゴルフスイング練習具。
【請求項３】
請求項１記載のゴルフスイング練習具であって、前記シャフトは、その縦軸に対する略垂直面における横断面が長方形であることを特徴としたゴルフスイング練習具。
【請求項４】
請求項１記載のゴルフスイング練習具であって、前記シャフトは、実質的に硬い材料からなることを特徴とするゴルフスイング練習具。
【請求項５】
請求項２記載のゴルフスイング練習具であって、前記シャフトの他端部付近に、使用者が指を置くための複数の窪みからなる第一握り部、また、前記第一握り部の反対側に、使用者が親指を置くための少なくとも１つの窪みからなる第二握り部を有し、使用者が、親指を当該第二握り部に、その他の指を当該第一握り部に置くことにより正確なグリップの仕方を習得することができるようにしたことを特徴とするゴルフスイング練習具。
【請求項６】
請求項１記載のゴルフスイング練習具であって、前記シャフトに連結される表示部材を有しており、当該表示部材は、表示部材の縦軸とシャフトの縦軸とが垂直になるように着脱可能にシャフトに連結されるものとし、当該表示部材により、使用者が正確なスタンスの位置及びボールの位置を習得することができるようにしたことを特徴とするゴルフスイング練習具。
【請求項７】
請求項６記載のゴルフスイング練習具であって、前記シャフトが、使用者がシャフトに対する右足の位置を確認することができる記号を有していることを特徴とするゴルフスイング練習具。
【請求項８】
請求項６記載のゴルフスイング練習具であって、前記溝が、前記シャフトの一端付近から他端方向へ延びるものとし、使用者が、スイングの際、シャフトの他端部側を握るようにしたことを特徴とするゴルフスイング練習具。
【請求項９】
請求項６記載のゴルフスイング練習具であって、前記シャフトが、その縦軸に対する略垂直面における横断面が長方形であることを特徴としたゴルフスイング練習具。
【請求項１０】
請求項６記載のゴルフスイング練習具であって、前記シャフトが、実質的に硬い材料からなることを特徴とするゴルフスイング練習具。
【請求項１１】
請求項６記載のゴルフスイング練習具であって、前記シャフトが、使用者が指を置くための複数の窪みからなる第一握り部、また、前記第一握り部の反対側に、使用者が親指を置くための少なくとも１つの窪みからなる第二握り部を有しており、使用者が、親指を当該第二握り部に、その他の指を当該第一握り部に置くことにより正確なグリップの仕方を習得することができるようにしたことを特徴とするゴルフスイング練習具。
【請求項１２】
請求項６記載のゴルフスイング練習具であって、前記表示部材の一端部幅が、前記シャフトに対するボールの位置を示すように、先端に向かってテーパー加工されていることを特徴とするゴルフスイング練習具。
【請求項１３】
請求項１２記載のゴルフスイング練習具であって、前記表示部材が、第一表面、第二表面、さらに第一側面、第二側面を有しており、第一表面に、前記シャフトの一部を受けるための切欠部が設けられ、当該切欠部は、第一側面と第二側面を貫通するように延びていることを特徴とするゴルフスイング練習具。
【請求項１４】
請求項１３記載のゴルフスイング練習具であって、前記切欠部が、第一構成壁と第二構成壁により画されていることを特徴とするゴルフスイング練習具。
【請求項１５】
請求項１４記載のゴルフスイング練習具であって、前記切欠部が、前記表示部材の第二表面側から第一表面方向にテーパー加工されていることを特徴とするゴルフスイング練習具。
【請求項１６】
請求項１５記載のゴルフスイング練習具であって、前記シャフトが、前記溝の反対側に位置するように前記表示部材の一部を受けるための他の溝を有しており、前記シャフトをその一端部側から表示部材の切欠部に挿入可能とし、切欠部の前記第一構成壁をシャフトの一方の溝に、前記第二構成壁をシャフトの他方の溝にそれぞれ挿入されるものとし、さらに、前記表示部材をシャフトに沿って摺動可能に位置決めできるようにしたことを特徴とするゴルフスイング練習具。
【請求項１７】
請求項７記載のゴルフスイング練習具であって、前記記号が、使用者が特定のゴルフクラブを使用する場合におけるそれぞれの右足の位置を示す第一記号、第二記号、第三記号からなり、これに対応して、使用者は左足を前記シャフトに連結された状態の前記表示部材付近に置くことが可能となり、これにより、使用者が正確なスイングスタンスを習得することができるようにしたことを特徴とするゴルフスイング練習具。
【請求項１８】
請求項６記載のゴルフスイング練習具であって、前記シャフトが、一端部付近に穴を有していることを特徴とするゴルフスイング練習具。
【請求項１９】
請求項１記載のゴルフスイング練習具であって、前記シャフトを、ダウンスイングの間、空気が当該溝に流入するように、使用者の手の甲側を体の反対方向に向けた状態でダウンスイングし、ダウンスイングの最下点付近において、手の甲側を体の方向に向けるように手首を反し、これにより溝に流入していた空気が流出してシャフトから音が発生するようにしたゴルフスイング練習具の使用方法。
【請求項２０】
請求項１記載のゴルフスイング練習具であって、ゴルフボールを地面に置き、前記シャフトを当該ゴルフボールの目標方向のラインと平行になるように地面に並べ、使用者がパターを用いて当該ゴルフボールを目標方向に向かって打つようにスイングした際、使用者が正確にスイングできなかった場合には、パターがシャフトに当たるようにしたゴルフスイング練習具の使用方法。
【請求項２１】
請求項１６記載のゴルフスイング練習具であって、前記シャフトが、使用者がシャフトに対する右足の位置を確認することができる記号を有しており、前記シャフトと前記表示部材を連結した状態で地面に置き、ゴルフボールを前記表示部材の一端部付近にセットした場合に、使用者の左足をシャフトの一部及び表示部材の他端部付近に置き、更に右足を前記記号付近に置くことにより、使用者が正確なスイングスタンスをとれるようにしたゴルフスイング練習具の使用方法。
【請求項２２】
請求項１７記載のゴルフスイング練習具であって、使用者が短いクラブを使用する場合、右足を前記シャフトに記された第一記号付近に置くことにより、使用者の両足の幅が狭くなるようにしたことを特徴とするゴルフスイング練習具の使用方法。
【請求項２３】
請求項１７記載のゴルフスイング練習具であって、使用者が中間の長さのゴルフクラブを使用する場合、右足をシャフトに記された第二記号付近に置くことにより、短い長さのゴルフクラブを使用するよりも両足の幅が広くなるようにしたことを特徴とするゴルフスイング練習具の使用方法。
【請求項２４】
請求項１７記載のゴルフスイング練習具であって、使用者が長いゴルフクラブを使用する場合、右足をシャフトに記された第三記号付近に置くことにより、中間の長さのゴルフクラブを使用するよりも両足の幅がさらに広くなるようにしたことを特徴とするゴルフスイング練習具の使用方法。
【発明の詳細な説明】
【技術分野】
【０００１】
この発明は、ゴルフの練習具に関するものであり、特に、使用者が、正確なゴルフクラブのグリップの仕方及びスイング中における正確な手首の反しを習得することができ、さらに、使用者が、様々な長さのゴルフクラブを使用する際のそれぞれにおける正確な足のスタンスの位置を学ぶことができるゴルフスイング練習具に関するものである。
【背景技術】
【０００２】
ゴルフの試合におけるゴルファーのスコアは、ゴルファーがどのようにクラブをスイングしたかにより大きく左右される。
【０００３】
ここで、ゴルファーにとっての理想的なスイング動作の一つにゴルフクラブを「インサイド−アウト」にスイングする動作がある。ゴルフクラブを「インサイド−アウト」にスイングすることができれば、ボールに適度なトップスピンがかかるため、ボールは（右利きのゴルファーにとっての）左方向にドローしながら飛んでいく。そして、この「インサイド−アウト」のスイング動作を試合中に一定して行うことができれば、スコアメイクに大きく役立つ。ここで、「インサイド−アウト」のスイング動作によるボールへの適度のトップスピンとドロー回転は、ダウンスイング中にゴルファーが手首を反すことにより、クラブヘッドがわずかに角度のついた状態でボールを叩くために可能となる。
【０００４】
そして、従来から様々なゴルフの練習具が使用されており、例えば、米国特許番号５，９８４，７９９、米国特許番号６，００１．０２３、米国特許番号５，９１１，６３５、米国特許番号５，８６８，６３４、米国特許番号５，０８２，２８３、米国特許番号Ｄｅｓ．４３０，２４９に示されるようなゴルフ練習具等がある。
【０００５】
ここで、従来型のゴルフスイング練習具には、ゴルフクラブのシャフト部に取り付けた電子装置により、使用者が自身のスイングについてフィードバックできる練習具や、ゴルフクラブに取り付けた機械装置により、クラブヘッドのスピードを測定するような練習具等がある。
【０００６】
しかしながら、これら従来型の練習具はゴルフクラブ自体を重くしてしまい、使用者の実際のスイングを正確に測定することができないといった問題を生じさせていた。また、ゴルフクラブからこれら従来型の練習具を取り外すと、その分ゴルフクラブの重さが変化するため、使用者のスイングが乱れてしまうといった問題もあった。
【特許文献１】米国特許番号５，９８４，７９９
【特許文献２】米国特許番号６，００１．０２３
【特許文献３】米国特許番号５，９１１，６３５
【特許文献４】米国特許番号５，８６８，６３４
【特許文献５】米国特許番号５，０８２，２８３
【特許文献６】米国特許番号Ｄｅｓ．４３０，２４９
【発明の開示】
【発明が解決しようとする課題】
【０００７】
そこで、この発明は、従来型のゴルフ練習具が有する上述したような欠点を考慮に入れつつ、使用者が、正確なゴルフクラブのグリップの仕方及びスイング中における正確な手首の反しを習得することができ、さらに、使用者が、様々な長さのゴルフクラブを使用する際のそれぞれにおける正確な足のスタンスの位置を学ぶことができるゴルフスイング練習具を提供することを課題とする。
【０００８】
本発明の課題の１つは、音を利用して使用者に、スイング中における正確な手首の反しを習得させるゴルフスイング練習具を提供することであり、この課題は、使用者が手首を正確に反すことができた場合に、スイング中の特定のポイントにおいて音が発生するようになっているゴルフスイング練習具によって達成される。この練習具においては、使用者が正確に手首を反すことができなかった場合には、スイング中の特定のポイントにおいて音が発生しないようになっている。
【０００９】
また、本発明の他の課題は、使用者に、正確なゴルフクラブのグリップの仕方を習得させることができるゴルフ練習具を提供することである。
【００１０】
さらに、本発明の他の課題は、使用者に、長さの違うゴルフクラブのそれぞれにおける正確なスタンスの位置を習得させることができ、さらに、これにより使用者がゴルフボールに対する正確な足の位置についても学ぶことができるゴルフスイング練習具を提供することである。
【００１１】
さらにまた、本発明の他の課題は、軽量かつコンパクトなデザインのゴルフスイング練習具を提供することであるが、本発明のゴルフスイング練習具は、そのデザインにより屋内及び屋外など、どこにおいても使用可能なものとなっている。
【課題を解決するための手段】
【００１２】
（請求項１記載の発明）
この発明のゴルフスイング練習具は、使用者が、正確なゴルフクラブのグリップの仕方及びスイング中における正確な手首の反しを習得することができるゴルフスイング練習具であって、細長の溝が設けられたシャフトからなり、使用者が当該シャフトをスイングする際、前記溝に空気が流入し、正確に手首が反される場合には、溝に流入していた空気が流出することにより音が発生するようにしたものとする。
（請求項２記載の発明）
この発明のゴルフスイング練習具は、請求項１記載のゴルフスイング練習具において、前記溝が、前記シャフトの一端部付近から他端部方向へ延びるものとし、使用者が、スイングする際、前記シャフトの他端部付近を握るようにしたものとする。
（請求項３記載の発明）
この発明のゴルフスイング練習具は、請求項１記載のゴルフスイング練習具において、前記シャフトは、その縦軸に対する略垂直面における横断面が長方形であるものとする。（請求項４記載の発明）
この発明のゴルフスイング練習具は、請求項１記載のゴルフスイング練習具において、前記シャフトは、実質的に硬い材料からなるものとする。
（請求項５記載の発明）
この発明のゴルフスイング練習具は、請求項２記載のゴルフスイング練習具において、前記シャフトの他端部付近に、使用者が指を置くための複数の窪みからなる第一握り部、また、前記第一握り部の反対側に、使用者が親指を置くための少なくとも１つの窪みからなる第二握り部を有し、使用者が、親指を当該第二握り部に、その他の指を当該第一握り部に置くことにより正確なグリップの仕方を習得することができるようにしたものとする。（請求項６記載の発明）
この発明のゴルフスイング練習具は、請求項１記載のゴルフスイング練習具において、前記シャフトに連結される表示部材を有しており、当該表示部材は、表示部材の縦軸とシャフトの縦軸とが垂直になるように着脱可能にシャフトに連結されるものとし、当該表示部材により、使用者が正確なスタンスの位置及びボールの位置を習得することができるようにしたものとする。
（請求項７記載の発明）
この発明のゴルフスイング練習具は、請求項６記載のゴルフスイング練習具において、前記シャフトが、使用者がシャフトに対する右足の位置を確認することができる記号を有しているものとする。
（請求項８記載の発明）
この発明のゴルフスイング練習具は、請求項６記載のゴルフスイング練習具において、前記溝が、前記シャフトの一端付近から他端方向へ延びるものとし、使用者が、スイングの際、シャフトの他端部側を握るようにしたものとする。
（請求項９記載の発明）
この発明のゴルフスイング練習具は、請求項６記載のゴルフスイング練習具において、前記シャフトが、その縦軸に対する略垂直面における横断面が長方形であるものとする。
（請求項１０記載の発明）
この発明のゴルフスイング練習具は、請求項６記載のゴルフスイング練習具において、前記シャフトが、実質的に硬い材料からなるものとする。
（請求項１１記載の発明）
この発明のゴルフスイング練習具は、請求項６記載のゴルフスイング練習具において、前記シャフトが、使用者が指を置くための複数の窪みからなる第一握り部、また、前記第一握り部の反対側に、使用者が親指を置くための少なくとも１つの窪みからなる第二握り部を有しており、使用者が、親指を当該第二握り部に、その他の指を当該第一握り部に置くことにより正確なグリップの仕方を習得することができるようにしたものとする。
（請求項１２記載の発明）
この発明のゴルフスイング練習具は、請求項６記載のゴルフスイング練習具において、前記表示部材の一端部幅が、前記シャフトに対するボールの位置を示すように、先端に向かってテーパー加工されているものとする。
（請求項１３記載の発明）
この発明のゴルフスイング練習具は、請求項１２記載のゴルフスイング練習具において、前記表示部材が、第一表面、第二表面、さらに第一側面、第二側面を有しており、第一表面に、前記シャフトの一部を受けるための切欠部が設けられ、当該切欠部は、第一側面と第二側面を貫通するように延びているものとする。
（請求項１４記載の発明）
この発明のゴルフスイング練習具は、請求項１３記載のゴルフスイング練習具において、前記切欠部が、第一構成壁と第二構成壁により画されているものとする。
（請求項１５記載の発明）
この発明のゴルフスイング練習具は、請求項１４記載のゴルフスイング練習具において、前記切欠部が、前記表示部材の第二表面側から第一表面方向にテーパー加工されているものとする。
（請求項１６記載の発明）
この発明のゴルフスイング練習具は、請求項１５記載のゴルフスイング練習具において、前記シャフトが、前記溝の反対側に位置するように前記表示部材の一部を受けるための他の溝を有しており、前記シャフトをその一端部側から表示部材の切欠部に挿入可能とし、切欠部の前記第一構成壁をシャフトの一方の溝に、前記第二構成壁をシャフトの他方の溝にそれぞれ挿入されるものとし、さらに、前記表示部材をシャフトに沿って摺動可能に位置決めできるようにしたものとする。
（請求項１７記載の発明）
この発明のゴルフスイング練習具は、請求項７記載のゴルフスイング練習具において、前記記号が、使用者が特定のゴルフクラブを使用する場合におけるそれぞれの右足の位置を示す第一記号、第二記号、第三記号からなり、これに対応して、使用者は左足を前記シャフトに連結された状態の前記表示部材付近に置くことが可能となり、これにより、使用者が正確なスイングスタンスを習得することができるようにしたものとする。
（請求項１８記載の発明）
この発明のゴルフスイング練習具は、請求項６記載のゴルフスイング練習具において、前記シャフトが、一端部付近に穴を有しているものとする。
（請求項１９記載の発明）
この発明のゴルフスイング練習具は、請求項１記載のゴルフスイング練習具において、前記シャフトを、ダウンスイングの間、空気が当該溝に流入するように、使用者の手の甲側を体とは反対方向、つまりは正面方向に向けた状態でダウンスイングし、ダウンスイングの最下点付近において、手の甲側を体の方向に向けるように手首を反し、これにより溝に流入していた空気が流出してシャフトから音が発生するようにしたものとする。
（請求項２０記載の発明）
この発明のゴルフスイング練習具は、請求項１記載のゴルフスイング練習具において、ゴルフボールを地面に置き、前記シャフトを当該ゴルフボールの目標方向のラインと平行になるように地面に並べ、使用者がパターを用いて当該ゴルフボールを目標方向に向かって打つようにスイングした際、使用者が正確にスイングできなかった場合には、パターがシャフトに当たるようにしたものとする。
（請求項２１記載の発明）
この発明のゴルフスイング練習具は、請求項１６記載のゴルフスイング練習具において、前記シャフトが、使用者がシャフトに対する右足の位置を確認することができる記号を有しており、前記シャフトと前記表示部材を連結した状態で地面に置き、ゴルフボールを前記表示部材の一端部付近にセットした場合に、使用者の左足をシャフトの一部及び表示部材の他端部付近に置き、更に右足を前記記号付近に置くことにより、使用者が正確なスイングスタンスをとれるようにしたものとする。
（請求項２２記載の発明）
この発明のゴルフスイング練習具は、請求項１７記載のゴルフスイング練習具において、使用者が短いクラブを使用する場合、右足を前記シャフトに記された第一記号付近に置くことにより、使用者の両足の幅が狭くなるようにしたものとする。
（請求項２３記載の発明）
この発明のゴルフスイング練習具は、請求項１７記載のゴルフスイング練習具において、使用者が中間の長さのゴルフクラブを使用する場合、右足をシャフトに記された第二記号付近に置くことにより、短い長さのゴルフクラブを使用するよりも両足の幅が広くなるようにしたものとする。
（請求項２４記載の発明）
この発明のゴルフスイング練習具は、請求項１７記載のゴルフスイング練習具において、使用者が長いゴルフクラブを使用する場合、右足をシャフトに記された第三記号付近に置くことにより、中間の長さのゴルフクラブを使用するよりも両足の幅がさらに広くなるようにしたものとする。
【発明の効果】
【００１３】
この発明は、以下に示すような構成により、使用者が、正確なゴルフクラブのグリップの仕方及びスイング中における正確な手首の反しを習得でき、さらに、使用者が、様々な長さのゴルフクラブを使用する際のそれぞれにおける正確な足のスタンスの位置を学ぶことができるゴルフスイング練習具を提供することができた。
【発明を実施するための最良の形態】
【００１４】
図１においては、符号１０が、この発明のゴルフスイング練習具を表している。この練習具１０は、一般に細長のシャフト１２からなり、その内側に延びる細長の溝１３を有している。使用者が、正確にシャフト１２をスイングできた場合、つまりは正確に手首を反すことができた場合には、溝１３に流入していた空気が流出される際、ヒュッという音が発生する。
【００１５】
本発明の実施形態においては、図１から図３に示されるように、シャフト１２は、第一端部１４、第二端部１５、及び第一表面１６、第二表面１７を有しており、通常のゴルフのドライバー程の長さとしている。シャフト１２の長さは、これに限られたものではなく、室内でも使用できるよう、より短くコンパクトにしてもよい。前記細長の溝１３は、シャフト１２の第一表面１６上に設けられるものとしてよく、また、一般に第二端部１５付近から第一端部１４方向に延びるものとしてよい。さらに、溝１３の長さをシャフト１２の長さの約半分とすることもできるが、ダウンスイングの際に空気が流入し、手首を反したときにその空気が流出して音を発生させる限り、他の様々な長さにすることも可能である。溝１３は、これと同じ長さからなる一対の向かい合う構成壁１８と一対の向かい合う端部壁１９により画され、シャフト１２を振り下ろした時、空気が溝１３に流入するようになっている。
【００１６】
使用者が、シャフト１２を正確にグリップしてアドレスに入ると、使用者の左手の甲側は、ボールの飛球線方向を向くようになっている。その後、図４、図５に示されるように、徐々に左手の甲側が体とは反対方向、つまりは正面方向に向くように、シャフト１２のバックスイングを開始する。この時、溝１３は、左手の動きに連動してアドレス時に地面方向を向いていたものが、徐々にボールの飛球線の反対方向を向くようにする。次いで、シャフト１２をバックスイングからダウンスイングへ移行させると、ダウンスイングの動きに合わせて空気が溝１３に流入する。その後、図５に示されるように、シャフト１２がダウンスイングの最下点に到達する手前付近、あるいはクラブヘッドがボールを叩く手前付近から、左手の甲側が体の方向を向くように、つまりは左手の甲側をひっくり返すように手首を反すようにする。この手首の反しにより、ダウンスイングの最下点付近からフォロースルーにかけて溝１３に流入していた空気が流出されるため、その瞬間ヒュッという音が発生する。さらにその後、フォロースルーのトップの位置においては、図５に示されるように、シャフト１２を、溝１３がボールの飛球線方向を向くようにする。
【００１７】
このシャフト１２をスイングする一連の動作による音の発生により、使用者は、正確な手首の反し、つまり、正確なスイング動作ができたか否かを確認することができる。また、この正確な手首の反しにより、上述したような、ボールに適度なトップスピンがかかり、ボールが左方向にドローしながら飛んでいく、いわゆる「インサイド−アウト」のスイング動作を習得するができる。
【００１８】
ここで、図４に示されるように、ダウンスイングの最下点に到達する手前付近において手首を反すことができず、正確なスイング動作ができなかった場合には、シャフト１２の溝１３に流入していた空気が流出されずに、そのまま溝１３に留まったままとなるため音は発生しない。
【００１９】
なお、バックスイングやフォロースルーにおける左手の甲側の向く方向や溝１３の向く方向は、使用者の体格、体の柔軟性、運動神経、ゴルフ歴、個々のスイング理論などの様々な要因によって変わるものであり、溝１３への空気の流入及びダウンスイングの最下点付近における手首の反しによる音の発生が達成される限り、上述したような方向に限られるものではない。例えば、左手の甲側が上を向くようにバックスイングし、さらにその状態でダウンスイングし、適宜のポイントにて手首を反すようにスイングしてもよい。
【００２０】
使用者は、シャフト１２を握る際、親指を後述する少なくとも１つの窪みからなる第二握り部３３に、その他の指を複数の窪みからなる第一握り部３２に置く。このようにシャフト１２を握ることにより、使用者は、正確なグリップでの正確なスイング動作を習得することができる。使用者が左利きの場合、右手でシャフト１２を握り、右利きなら左手でシャフト１２を握るようにする。
【００２１】
本発明の実施形態においては、シャフト１２は、例えばアルミニウム等、十分に堅い材料からなるものとしてよい。また、例えばプラスチック等、他の材料からなるものとすることもできる。
【００２２】
シャフト１２は、その縦軸に対する略垂直面における横断面が長方形のシャフトとなるようにしてよい。また、例えばその縦軸に対する略垂直面における横断面が丸状など、他の形状のシャフトとなるようにしてもよい。
【００２３】
さらに、溝１３は、図１に示されるように、シャフト１２の縦軸に対する略垂直面における横断面が長方形の溝となるようにしてもよい。しかしながら、溝１３の横断面は、シャフト１２を振り下ろした時、空気が流入し、正確に手首の反しができた場合、つまり、正確にスイングできた場合に音を発生させるかぎり、他の様々な形状とすることもできる。
【００２４】
図１及び図６に示されるように、シャフト１２の第一表面１６に、使用者がシャフト１２を握る際に指を置くための、複数の窪みからなる第一握り部３２が設けられるようにしてよい。この複数の窪みからなる第一握り部３２は、一般に、シャフト１２の第一端部１４付近に設けられるものとしてよい。なお、この第一握り部３２により、使用者は、ゴルフクラブの正確なグリップの仕方を習得することができる。
【００２５】
また、図６に示されるように、第二表面１７に、使用者がシャフト１２を握る際に親指を置くための、少なくとも１つの窪みからなる第二握り部３３を設けるようにしてもよい。この第二握り部３３は、第一握り部３２の反対側であって、第一握り部３２の複数の窪みのうちのシャフト１２の第一端部１４から最も離れた位置にある窪み付近に設けるものとしてもよい。ここで使用者は、親指を第二握り部３３に、その他の指を第一握り部３２に置くことにより、シャフト１２のさらに正確なグリップの仕方を習得することができる。
【００２６】
同じく図６には、第一端部６０と第二端部６１を有する表示部材３８が示されている。当該表示部材３８は、その縦軸とシャフト１２の縦軸とが垂直になるように、シャフト１２に着脱可能に連結されるものとしてよい。表示部材３８は、使用者に正しい足の位置と正しいボールの位置を習得させるためのものである。
【００２７】
本発明の実施形態においては、図６に示されるように、表示部材３８の端部幅が、第一端部６０の方向にテーパー加工されるようにしてもよい。また、同じく図６に示されるように、表示部材３８の第一端部６０は、シャフト１２に対するゴルフボールの位置を示す方向に向けられるようにしてもよい。
【００２８】
表示部材３８は、また、第一表面６２、第二表面６３、及び第一側面６４、第二側面６５を有しており、当該第一表面６２に、シャフト１２の一部を受けるための切欠部６６を設けるようにしてもよい。当該切欠部６６は、表示部材３８の第一表面６２の内側方向に延び、さらに、第一側面６４及び第二側面６５を貫通するように延びるものとしてよい。
【００２９】
当該切欠部６６は、第一構成壁６７と第二構成壁６８により画され、当該第一構成壁６７及び第二構成壁６８を第二表面６３側から第一表面６２方向にテーパー加工するようにしてもよい。
【００３０】
さらに、前記シャフト１２は、図３に示すように、第二表面１７に延び、かつ前記溝１３の反対側に位置する溝６９を有するものとしてよい。当該溝６９と前記溝１３によって、表示部材３８の一部を受けるようにすることができる。シャフト１２を第一端部１４側から表示部材３８の切欠部６６に挿入可能とし、切欠部６６の第一構成壁６７を溝１３に、また第二構成壁６８を溝６９にそれぞれ挿入可能とするようにしてもよい。さらに、表示部材３８をシャフト１２の縦軸に沿って摺動可能に位置決めできるようにしてもよい。
【００３１】
表示部材３８が着脱可能にシャフト１２に連結されると、表示部材３８の第一部分４２はシャフト１２の第二表面１７から、また、表示部材３８の第二部分４３はシャフト１２の第一表面１６から突き出るような態様となる。
【００３２】
本発明の実施形態においては、表示部材３８は、例えばアルミニウムやプラスチック等の堅い材料からなるものとしてよいが、他の様々な材料からなるものとすることもできる。
【００３３】
さらに、図６に示されるように、前記シャフト１２の第一側面３６上には、記号４５が付されているものとしてもよく、使用者は、当該記号４５を目印にすることにより、シャフト１２と表示部材３８に対する正しい右足の位置を習得することができる。
【００３４】
本発明の実施形態においては、記号４５は、第一記号４６、第二記号４７、第三記号４８からなるものとしてよい。第一記号４６は、例えばピッチングウェッジ、９番アイアン、８番アイアンなどのゴルフクラブを選択した場合における右足の位置を示すものとし、第二記号４７は、例えば７番アイアン、６番アイアン、５番アイアンなど、さらに第三記号４８は、例えば４番アイアン、３番アイアン、ウッド系のクラブを選択した場合における右足の位置を示すものとしてもよい。
【００３５】
記号４５は、例えば丸印や傍線など様々な形状からなる記号としてよく、また、例えばゴルフボールや星といったより図形的な記号としてもよい。
【００３６】
さらにまた、図２や図６に示されるように、シャフト１２は、第一端部１４付近に、穴７０を有するものとしてもよく、当該穴７０は、第一側面３６から第二側面３７へ貫通するように延びるものとしてよい。そして、当該穴７０は、シャフト１２の不使用時に、壁のフックや釘に引っ掛けて保管するときに使用されるものとしてよい。
【００３７】
本発明は、さらに、使用者が、様々なゴルフクラブを用いてボールを打つ際のそれぞれにおける正確なスイングスタンスの位置を習得するために利用することができる。使用者は、例えばパッティングの練習においては、シャフト１２を溝１３が上を向くように地面に置き、次いでボールを自身とシャフト１２の間にセットし、シャフト１２をボールの目標方向のラインと平行になるように並べる。そしてパターをシャフト１２と平行にスイングしてボールを打つと、正確にスイングできていない場合、つまりシャフト１２と平行にスイングできていない場合には、パターがシャフト１２を叩いてしまう。本発明の実施形態においては、パターがシャフト１２を叩いた場合、上を向いていた溝１３がひっくり返るようにシャフト１２が倒れるようにしてもよい。
【００３８】
使用者は、また、表示部材３８を使用することにより、様々な長さのゴルフクラブにおけるそれぞれのスイングスタンスの位置を習得することができる。このスイングスタンスの位置を習得する際には、表示部材３８を着脱可能にシャフト１２に連結させ、それらを地面に置き、次いでゴルフボールを表示部材３８の第一端部６０が示す箇所にセットする。
【００３９】
ボールをセットした後、使用者は、図６に示されるように、左足を表示部材３８の第二部分４３と溝１３付近に置く。この際、左足の位置は、ボールが体の真中の位置にくるように、あるいは真中よりも左足より、または右足よりにくるように、使用者の好みに合わせて置くようにしてもよい。
【００４０】
一方、右足は、使用しているクラブの長さによって異なるけれども、シャフト１２の第一側面３６上に記された記号４５付近に置くようにしてよい。
【００４１】
例えばピッチングウェッジ、９番アイアン、８番アイアンなどの短いクラブを使用する場合、使用者は、右足をシャフト１２の第一側面３６上に記された第一記号４６付近に置くことによりスタンス幅を狭くする。また、例えば７番アイアン、６番アイアン、５番アイアンなど、中間の長さのクラブを使用する場合、使用者は、右足を第二記号４７付近に置くことにより、右足を第一記号４６付近に置いたときよりもスタンス幅を広くする。さらに、例えば４番アイアン、３番アイアン、ウッド系の比較的長いクラブを使用する場合、使用者は、右足を第三記号４８付近に置くことにより、右足を第二記号４７付近に置いたときよりもスタンス幅をさらに広くする。
【図面の簡単な説明】
【００４２】
【図１】この発明の実施形態のゴルフスイング練習具の正面図。
【図２】この発明の実施形態のゴルフスイング練習具の側面図。
【図３】この発明の実施形態のゴルフスイング練習具の図１に示す符号３、３における断面図。
【図４】この発明の実施形態のゴルフスイング練習具の使用時における不正確なスイング動作を示す正面説明図。
【図５】この発明の実施形態のゴルフスイング練習具の使用時における正確なスイング動作を示す正面説明図。
【図６】この発明の実施形態のゴルフスイング練習具の当該練習具に対する使用者の足の位置とそれに対するゴルフボールの位置を示す斜視図。
【符号の説明】
【００４３】
１０   ゴルフスイング練習具
１２   シャフト
１３   溝
１４   第一端部
１５   第二端部
１６   第一表面
１７   第二表面
１８   構成壁
１９   端部壁
３８   表示部材
４５   記号
６６   切欠部
７０   穴
【図１】
2004313776.tif 000003
【図２】
2004313776.tif 000004
【図３】
2004313776.tif 000005
【図４】
2004313776.tif 000006
【図５】
2004313776.tif 000007
【図６】
2004313776.tif 000008